(57)【要約】【課題】非常時に発電設備の始動に伴い、住宅への電力供給元の切替と発電設備設置場所の換気とを連動して行うことを可能にすることを目的とする。【解決手段】送信機２２から第１送受信機２４に開始信号を送信する。第１送受信機２４が開始信号を受信すると、発電設備１２を作動して第２送受信機２６に第１の信号を送信する。また、第２送受信機２６が第１の信号を受信すると、電力源が発電設備１２になるように切替開閉器１４を切替えて第３送受信機２８に第２の信号を送信する。そして、第３送受信機２８が第２の信号を受信すると、換気扇２０を作動する。【選択図】図５
2015226390.tif 000002
【特許請求の範囲】
【請求項１】
外部からの指示により作動可能な発電設備と、
前記発電設備が設置された場所に設けられ、外部からの指示により作動可能な換気扇と、
外部からの指示により電力の供給元を系統電源又は前記発電設備に切替える切替部と、
前記発電設備の作動開始を指示する開始信号を送信する送信機と、
前記送信機から送信された前記開始信号を受信した場合に、前記発電設備を作動させると共に、予め定めた第１の信号を送信する第１送受信機と、
前記第１送受信機から送信された前記第１の信号を受信した場合に、電力の供給元が前記発電設備になるように前記切替部に指示すると共に、予め定めた第２の信号を送信する第２送受信機と、
前記第２送受信機から送信された前記第２の信号を受信した場合に、前記換気扇を作動させる第３送受信機と、
を備えた非常時給電システム。
【請求項２】
前記送信機が、前記発電設備の作動停止を指示する停止信号を更に送信し、
前記第３送受信機が、前記送信機から送信された前記停止信号を受信した場合に、前記換気扇を停止させる共に、予め定めた第３の信号を更に送信し、
前記第２送受信機が、前記第３送受信機から送信された前記第３の信号を受信した場合に、電力の供給元が前記系統電源になるように前記切替部に指示すると共に、予め定めた第４の信号を更に送信し、
前記第１送受信機が、前記第２送受信機から送信された前記第４の信号を受信した場合に、前記発電設備を更に停止させる請求項１に記載の非常時給電システム。
【請求項３】
前記送信機が、前記発電設備の作動停止を指示する停止信号を更に送信し、
前記第３送受信機が、前記送信機から送信された前記停止信号を受信した場合に、前記換気扇を停止させ、
前記第２送受信機が、前記送信機から送信された前記停止信号を受信した場合に、電力の供給元が前記系統電源になるように前記切替部に指示すると共に、予め定めた第４の信号を更に送信し、
前記第１送受信機が、前記第２送受信機から送信された前記第４の信号を受信した場合に、前記発電設備を更に停止させる請求項１に記載の非常時給電システム。
【請求項４】
前記送信機が、前記発電設備の作動停止を指示する停止信号を更に送信し、
前記第３送受信機が、前記送信機から送信された前記停止信号を受信した場合に、前記換気扇を停止させると共に、予め定めた第５の信号を更に送信し、
前記第２送受信機が、前記送信機から送信された前記停止信号を受信した場合に、電力の供給元が前記系統電源になるように前記切替部に指示し、
前記第１送受信機が、前記第３送受信機から送信された前記第５の信号を受信した場合に、前記発電設備を更に停止させる請求項１に記載の非常時給電システム。
【請求項５】
前記送信機が、前記発電設備の作動停止を指示する停止信号を更に送信し、
前記第２送受信機が、前記送信機から送信された前記停止信号を受信した場合に、電力の供給元が前記系統電源になるように前記切替部に指示すると共に、予め定めた第４の信号を更に送信し、
前記第３送受信機が、前記第２送受信機から送信された前記第４の信号を受信した場合に、前記換気扇を停止させ、
前記第１送受信機が、前記第２送受信機から送信された前記第４の信号を受信した場合に、前記発電設備を更に停止させる請求項１に記載の非常時給電システム。
【請求項６】
前記送信機は、電池レスで前記作動開始の指示を行う電池レスリモコンからなり、
前記第１送受信機は、前記系統電源または前記発電設備の電力を蓄電する蓄電部を備えると共に、前記蓄電部の電力を用いて前記発電設備を作動させると共に、前記第１の信号を送信する請求項１〜５の何れか１項に記載の非常時給電システム。
【請求項７】
前記第１送受信機、前記第２送受信機、及び前記第３送受信機は、無線信号を送受信する請求項１〜６の何れか１項に記載の非常時給電システム。
【発明の詳細な説明】
【技術分野】
【０００１】
本発明は、停電等の非常時に住宅へ電力を供給する非常時給電システムに関する。
【背景技術】
【０００２】
エンジン発電機等の発電機は、電源供給が困難な屋外で使用することが多いが、停電等の非常時に使用することが場合がある。
【０００３】
このような発電機では、遠隔操作により発電を開始するようにしたものがある。例えば、特許文献１に記載の技術では、エンジン発電機と、エンジン発電機の出力ラインに接続された中継端末と、中継端末と無線通信するリモコンを備えている。また、エンジン発電機とリモコンとが中継端末を介して遠隔操作信号を双方向通信する構成とされている。そして、エンジン発電機及び中継端末が出力ラインを利用した電力線搬送で遠隔操作信号送受信するようになっている。
【先行技術文献】
【特許文献】
【０００４】
【特許文献１】特許第４３２９９７２号公報
【発明の概要】
【発明が解決しようとする課題】
【０００５】
上述の特許文献１に記載の技術により、遠隔操作で非常時にエンジン発電機を始動することができる。しかしながら、住宅内へ供給する電力供給元の切替や、エンジン発電機が設置された場所の換気については考慮されていないので、改善の余地がある。
【０００６】
本発明は、上記事実を考慮して成されたもので、非常時に発電設備の始動に伴い、住宅への電力供給元の切替と発電設備設置場所の換気とを連動して行うことを可能にすることを目的とする。
【課題を解決するための手段】
【０００７】
上記目的を達成するために請求項１に記載の非常時給電システムは、外部からの指示により作動可能な発電設備と、前記発電設備が設置された場所に設けられ、外部からの指示により作動可能な換気扇と、外部からの指示により電力の供給元を系統電源又は前記発電設備に切替える切替部と、前記発電設備の作動開始を指示する開始信号を送信する送信機と、前記送信機から送信された前記開始信号を受信した場合に、前記発電設備を作動させると共に、予め定めた第１の信号を送信する第１送受信機と、前記第１送受信機から送信された前記第１の信号を受信した場合に、電力の供給元が前記発電設備になるように前記切替部に指示すると共に、予め定めた第２の信号を送信する第２送受信機と、前記第２送受信機から送信された前記第２の信号を受信した場合に、前記換気扇を作動させる第３送受信機と、を備えている。
【０００８】
請求項１に記載の発明によれば、発電設備は、外部からの指示により作動可能とされている。また、発電設備が設置された場所に設けられた換気扇も外部からの指示により作動可能とされている。
【０００９】
また、切替部では、外部からの指示により電力の供給元が系統電源又は発電設備に切替えられる。
【００１０】
送信機では、発電設備の作動開始を指示する開始信号が送信され、第１送受信機では、送信機によって送信された開始信号を受信した場合に、発電設備を作動させると共に、予め定めた第１の信号が送信される。
【００１１】
また、第２送受信機では、第１送受信機によって送信された第１の信号を受信した場合に、電力の供給元が発電設備になるように切替部に指示すると共に、予め定めた第２の信号が送信される。
【００１２】
そして、第３送受信機では、第２送受信機から送信された第２の信号を受信した場合に、換気扇が作動される。
【００１３】
すなわち、送信機によって発電設備の作動開始を指示する開始信号を送信することによって、煩雑な作業を行うことなく、住宅等へ供給する電力を系統電源から発電設備に切替えることができる。さらには、電源の切替に連動して発電設備が設置された場所を換気扇によって換気することができる。
【００１４】
従って、非常時に発電設備の始動に伴い、住宅への電力供給元の切替と発電設備設置場所の換気とを連動して行うことができる。
【００１５】
なお、請求項２に記載の発明のように、送信機が、発電設備の作動停止を指示する停止信号を更に送信し、第３送受信機が、送信機から送信された停止信号を受信した場合に、換気扇を停止させる共に、予め定めた第３の信号を更に送信し、第２送受信機が、第３送受信機から送信された第３の信号を受信した場合に、電力の供給元が系統電源になるように切替部に指示すると共に、予め定めた第４の信号を更に送信し、第１送受信機が、第２送受信機から送信された第４の信号を受信した場合に、発電設備を更に停止させるようにしてもよい。これによって、送信機から発電設備の作動停止を指示する停止信号を出力することで、発電設備から系統電源に切替えることが可能となると共に、連動して換気扇を停止させることが可能となる。
【００１６】
また、請求項３に記載の発明のように、送信機が、発電設備の作動停止を指示する停止信号を更に送信し、第３送受信機が、送信機から送信された停止信号を受信した場合に、換気扇を停止させ、第２送受信機が、送信機から送信された停止信号を受信した場合に、電力の供給元が系統電源になるように切替部に指示すると共に、予め定めた第４の信号を更に送信し、第１送受信機が、第２送受信機から送信された前記第４の信号を受信した場合に、発電設備を更に停止させるようにしてもよい。このように構成しても、送信機から発電設備の作動停止を指示する停止信号を出力することで、発電設備から系統電源に切替えることが可能となると共に、連動して換気扇を停止させることが可能となる。
【００１７】
また、請求項４に記載の発明のように、送信機が、発電設備の作動停止を指示する停止信号を更に送信し、第３送受信機が、送信機から送信された停止信号を受信した場合に、換気扇を停止させると共に、予め定めた第５の信号を更に送信し、第２送受信機が、送信機から送信された停止信号を受信した場合に、電力の供給元が系統電源になるように切替部に指示し、第１送受信機が、第３送受信機から送信された第５の信号を受信した場合に、発電設備を更に停止させるようにしてもよい。このように構成しても、送信機から発電設備の作動停止を指示する停止信号を出力することで、発電設備から系統電源に切替えることが可能となると共に、連動して換気扇を停止させることが可能となる。
【００１８】
また、請求項５に記載の発明のように、送信機が、発電設備の作動停止を指示する停止信号を更に送信し、第２送受信機が、送信機から送信された停止信号を受信した場合に、電力の供給元が系統電源になるように切替部に指示すると共に、予め定めた第４の信号を更に送信し、第３送受信機が、第２送受信機から送信された第４の信号を受信した場合に、換気扇を停止させ、第１送受信機が、第２送受信機から送信された第４の信号を受信した場合に、発電設備を更に停止させるようにしてもよい。このように構成しても、送信機から発電設備の作動停止を指示する停止信号を出力することで、発電設備から系統電源に切替えることが可能となると共に、連動して換気扇を停止させることが可能となる。
【００１９】
また、請求項６に記載の発明のように、送信機は、電池レスで作動開始の指示を行う電池レスリモコンからなり、第１送受信機は、系統電源または前記発電設備の電力を蓄電する蓄電部を備えると共に、蓄電部の電力を用いて発電設備を作動させると共に、第１の信号を送信するようにしてもよい。
【００２０】
さらに、請求項７に記載の発明のように、第１送受信機、第２送受信機、及び第３送受信機は、無線信号を送受信するものを適用するようにしてもよい。
【発明の効果】
【００２１】
以上説明したように本発明によれば、住宅への電力供給元の切替と発電設備設置場所の換気とを連動して行うことができる、という効果がある。
【図面の簡単な説明】
【００２２】
【図１】本実施の形態に係わる非常時給電システムの概略構成を示すブロック図である。
【図２】（Ａ）は信号の送信元に応じた第１送受信機の動作を示す表であり、（Ｂ）は信号の送信元に応じた第２送受信機の動作を示す表であり、（Ｃ）は信号の送信元に応じた第３送受信機の動作を示す表である。
【図３】（Ａ）は第１送受信機で行われる処理の一例を示すフローチャートであり、（Ｂ）は第２送受信機で行われる処理の一例を示すフローチャートである。
【図４】第３送受信機で行われる処理の一例を示すフローチャートである。
【図５】本実施の形態に係る非常時給電システムの発電設備から住宅へ電力開始する場合を説明するための図である。
【図６】本実施の形態に係る非常時給電システムの発電設備から住宅への電力供給を停止する場合を説明するための図である。
【発明を実施するための形態】
【００２３】
以下、図面を参照して本発明の実施の形態の一例を詳細に説明する。図１は、本実施の形態に係わる非常時給電システムの概略構成を示すブロック図である。
【００２４】
非常時給電システム１０は、住宅内へ電力を供給する供給元を切替える切替開閉器１４を備えている。
【００２５】
切替開閉器１４には、発電設備１２が接続されており、発電設備１２によって発電された電力を住宅内へ供給可能とされている。
【００２６】
また、切替開閉器１４には、分電盤１６が接続されており、系統電源１８からの電力が分電盤１６を介して切替開閉器１４に入力されるようになっている。
【００２７】
また、切替開閉器１４には、住宅内の照明３０やコンセント３２、換気扇２０等が接続され、切替開閉器１４を介して住宅内に電力供給が行われる。なお、換気扇２０は、後述する発電設備１２が設置された場所に設置されているものとする。
【００２８】
すなわち、切替開閉器１４は、住宅内へ電力を供給する供給元を、系統電源１８又は発電設備１２に切替えるようになっている。
【００２９】
さらに、本実施の形態に係る非常時給電システム１０は、遠隔操作を行うための構成を備えている。
【００３０】
具体的には、遠隔操作を行う構成として、送信機２２、第１送受信機２４、第２送受信機２６、及び第３送受信機２８を備えている。
【００３１】
送信機２２は、非常時に発電設備１２から住宅への電力供給開始の指示、及び発電設備１２から住宅への電力供給停止の指示を行う。本実施の形態では、送信機２２として電池レスリモコンを適用することにより、非常時に電池切れにより発電設備１２から住宅への電力供給開始指示ができないことを防止するようになっている。電池レスリモコンは、例えば、電磁誘導等によってスイッチ操作を電力に変換して、変換した電力を用いて無線信号を送信する。
【００３２】
第１送受信機２４は、予め定めた送受信先と信号の送受信が可能とされており、信号を受信した場合に信号の送信元に応じて予め定めた送信先へ信号を送信するようになっている。また、第１送受信機２４は、電力線が分電盤１６に接続されて系統電源１８からの電力により信号の送受信が行われる。また、第１送受信機２４は、蓄電用キャパシタ２５を備えており、停電が発生した場合でも信号の送受信が可能とされている。さらに、第１送受信機２４は、外部からの指示により作動可能な発電設備１２に接続されており、発電設備１２へ発電開始指示や発電停止指示が可能とされている。
【００３３】
第２送受信機２６は、電力線が発電設備１２に接続されており、発電設備１２からの電力により信号の送受信が可能とされている。第２送受信機２６も、信号を受信した場合に信号の送信元に応じて予め定めた送信先へ信号を送信するようになっている。また、第２送受信機２６は、外部からの指示により切替が可能な切替開閉器１４に接続されており、切替開閉器１４による住宅への電力供給元の切替が可能とされている。例えば、切替開閉器１４として電磁式のスイッチを適用して、第２送受信機２６が切替を行うためのコイルに通電を行うか否かによって切替開閉器１４による住宅への電力供給元の切替が行われる。
【００３４】
第３送受信機２８は、電力線が切替開閉器１４に接続されており、切替開閉器１４から供給される電力により信号の送受信が可能とされている。第３送受信機２８も、信号を受信した場合に信号の送信元に応じて予め定めた送信先へ信号を送信するようになっている。また、第３送受信機２８は、外部からの指示により作動可能な換気扇２０に接続されており、換気扇２０の作動開始指令及び停止指令が可能とされている。
【００３５】
第１〜第３送受信機２４〜２８は、上述したように、信号を受信した場合に信号の送信元に応じて予め定めた送信先へ信号を送信するが、本実施の形態では、信号を受信した場合に信号の送信元に応じて予め定めた動作を行うようになっている。具体的には、図２に示す動作を行うようになっている。図２（Ａ）は信号の送信元に応じた第１送受信機２４の動作を示す表であり、図２（Ｂ）は信号の送信元に応じた第２送受信機２６の動作を示す表であり、図２（Ｃ）は信号の送信元に応じた第３送受信機２８の動作を示す表である。
【００３６】
第１送受信機２４は、図２（Ａ）に示すように、送信機２２から予め定めた開始信号を受信した場合に、発電設備１２に作動開始指令を出力すると共に、第２送受信機２６へ予め定めた第１の信号を送信するようになっている。
【００３７】
また、第１送受信機２４は、第２送受信機２６から予め定めた第４の信号を受信した場合に、発電設備１２に停止指令を出力するようになっている。
【００３８】
第２送受信機２６は、図２（Ｂ）に示すように、第１送受信機２４から送信された第１の信号を受信した場合に、切替開閉器１４にオン指令（発電設備１２から住宅内へ電力供給を行う指令）を出力すると共に、第３送受信機２８へ予め定めた第２の信号を送信するようになっている。
【００３９】
また、第２送受信機２６は、第３送受信機２８から予め定めた第３の信号を受信した場合に、切替開閉器１４にオフ指令（系統電源１８から住宅内へ電力供給を行う指令）を出力すると共に、第１送受信機２４へ予め定めた第４の信号を送信するようになっている。
【００４０】
第３送受信機２８は、図２（Ｃ）に示すように、第２送受信機２６から送信された第２の信号を受信した場合に、換気扇２０に作動開始指令を出力するようになっている。
【００４１】
また、第３送受信機２８は、送信機２２から送信された予め定めた停止信号を受信した場合に、換気扇２０に停止指令を出力すると共に、第２送受信機２６へ予め定めた第３の信号を送信するようになっている。
【００４２】
なお、第１〜第３送受信機２４〜２８における送信元の特定は、例えば、各送受信機２４〜２８毎に送信周波数を異ならせることにより、何れから送信された信号かを特定することが可能である。この場合、受信側が送信元を周波数で特定するようにしてもよいし、受信する際の受信周波数を限定すれば、特定の送信元からのみ信号を受信できる。或いは、送信信号に送信元を特定するための情報を付加して受信側で当該情報に基づいて送信元を特定するようにしてもよい。
【００４３】
続いて、上述のように構成された本実施の形態に係る非常時給電システム１０の第１〜第３送受信機２４〜２８で行われる各々の処理について説明する。
【００４４】
まず、図３（Ａ）を参照して第１送受信機２４で行われる処理について説明する。図３（Ａ）は、第１送受信機２４で行われる処理の一例を示すフローチャートである。
【００４５】
まず、ステップ１００では、送信機２２から信号（開始信号）を受信したか否かが第１送受信機２４によって判定される。該判定が肯定された場合にはステップ１０２へ移行し、否定された場合にはステップ１０４へ移行する。
【００４６】
ステップ１０２では、第１送受信機２４によって発電設備１２に作動指令が出力されると共に、第２送受信機２６へ信号（第１の信号）が送信されてステップ１００に戻って上述の処理が繰り返される。
【００４７】
一方、ステップ１０４では、第２送受信機２６から信号（第４の信号）を受信したか否かが第１送受信機２４によって判定される。該判定が肯定された場合にはステップ１０６へ移行し、否定された場合にはステップ１００に戻って上述の処理が繰り返される。
【００４８】
ステップ１０６では、第１送受信機２４によって発電設備１２に停止指令が出力されてステップ１００に戻って上述の処理が繰り返される。
【００４９】
次に、図３（Ｂ）を参照して第２送受信機２６で行われる処理について説明する。図３（Ｂ）は、第２送受信機２６で行われる処理の一例を示すフローチャートである。
【００５０】
ステップ２００では、第１送受信機２４から信号（第１の信号）を受信したか否か第２送受信機２６によって判定される。該判定が肯定された場合にはステップ２０２へ移行し、否定された場合にはステップ２０４へ移行する。
【００５１】
ステップ２０２では、第２送受信機２６によって切替開閉器１４に切替（オン）指令が出力されると共に、第３送受信機２８に信号（第２の信号）が送信されてステップ２００に戻って上述の処理が繰り返される。
【００５２】
一方、ステップ２０４では、第３送受信機２８から信号（第３の信号）を受信したか否か第２送受信機２６によって判定される。該判定が肯定された場合にはステップ２０６へ移行し、否定された場合にはステップ２００に戻って上述の処理が繰り返される。
【００５３】
ステップ２０６では、第２送受信機２６によって切替開閉器１４に切替（オフ）指令が出力されると共に、第１送受信機２４に信号（第４の信号）が出力されてステップ２００に戻って上述の処理が繰り返される。
【００５４】
次に、図４を参照して第３送受信機２８で行われる処理について説明する。図４は、第３送受信機２８で行われる処理の一例を示すフローチャートである。
【００５５】
ステップ３００では、第２送受信機２６から信号（第２の信号）を受信したか否か第３送受信機２８によって判定される。該判定が肯定された場合にはステップ３０２へ移行し、否定された場合にはステップ３０４へ移行する。
【００５６】
ステップ３０２では、第３送受信機２８によって換気扇２０に作動開始指令が出力されてステップ３００に戻って上述の処理が繰り返される。
【００５７】
一方、ステップ３０４では、送信機２２から信号（停止信号）を受信したか否か第３送受信機２８によって判定される。該判定が肯定された場合にはステップ３０６へ移行し、否定された場合にはステップ３００に戻って上述の処理が繰り返される。
【００５８】
ステップ３０６では、第３送受信機２８によって換気扇２０に停止指令が出力されると共に、第２送受信機２６へ信号（第３の信号）が出力されてステップ３００に戻って上述の処理が繰り返される。
【００５９】
次に、本実施の形態に係る非常時給電システム１０の全体の動作について説明する。図５は、本実施の形態に係る非常時給電システム１０の発電設備１２から住宅へ電力開始する場合を説明するための図である。また、図６は、本実施の形態に係る非常時給電システム１０の発電設備１２から住宅への電力供給を停止する場合を説明するための図である。
【００６０】
非常時給電システム１０の発電設備１２から住宅へ電力供給を開始する場合には、送信機２２を用いて発電設備１２から住宅への電力供給開始の指示を行う。これにより、図５の一点鎖線矢印で示すように、送信機２２から第１送受信機２４へ開始信号を送信され、上述のステップ１００の判定が肯定される。すなわち、発電設備に作動指令が出力されて発電設備１２が作動開始する。また、第１送受信機２４から第２送受信機２６へ第１の信号が出力される。
【００６１】
次に、第１送受信機２４からの第１の信号を第２送受信機２６が受信すると、上述のステップ２００の判定が肯定される。すなわち、発電設備１２からの電力を電源として第２送受信機２６によって切替開閉器１４にオン指令が出力され、切替開閉器１４の電力供給元が系統電源１８から発電設備１２に切替えられる。また、第２送受信機２６から第３送受信機２８へ第２の信号が出力される。
【００６２】
次に、第２送受信機２６からの第２の信号を第３送受信機２８が受信すると、上述のステップ３０２の判定が肯定される。すなわち、第３送受信機２８によって換気扇２０のオン指令が出力されて、発電設備１２からの電力により換気扇２０が作動開始する。これにより、煩雑な作業を行うことなく、発電設備１２が設置された場所を換気することができる。
【００６３】
一方、非常時給電システム１０の発電設備１２から住宅への電力供給を停止する場合には、送信機２２を用いて発電設備から住宅への電力供給停止の指示を行う。これにより、図６の一点鎖線矢印で示すように、送信機２２から第３送受信機２８へ停止信号が送信され、上述のステップ３０４が肯定される。すなわち、第３送受信機２８によって換気扇２０に停止指令が出力されて換気扇２０が停止する。また、第３送受信機２８から第２送受信機２６へ第３の信号が出力される。
【００６４】
次に、第３送受信機２８からの第３の信号を第２送受信機２６が受信すると、上述のステップ２０４の判定が肯定される。すなわち、発電設備１２からの電力を電源として第２送受信機２６によって切替開閉器１４に切替（オフ）指令が出力され、切替開閉器１４の電力供給元が発電設備１２から系統電源１８に切替えられる。また、第２送受信機２６から第１送受信機２４へ第４の信号が出力される。
【００６５】
次に、第２送受信機２６からの第４の信号を第１送受信機２４が受信すると、上述のステップ１０４の判定が肯定される。すなわち、第１送受信機２４によって発電設備１２に停止指令が出力されて発電設備１２が停止される。
【００６６】
このように、本実施の形態では、送信機２２を操作するだけで、発電設備１２の作動／停止、及び切替開閉器１４の切替を行うことができる。また、これに連動して換気扇２０を作動／停止を行うことができる。
【００６７】
なお、上記の実施の形態では、発電設備１２から住宅への電力供給を停止する場合の手順は、他の手順を適用することが可能である。例えば、送信機２２から第３送受信機２８及び第２送受信機２６にそれぞれ停止信号を送信する。そして、第３送受信機が停止信号を受信した場合に、換気扇２０を停止させる。また、第２送受信機２６が停止信号を受信した場合に、上記の実施の形態ように、切替開閉器１４を切替えると共に、第１送受信機２４に第４の信号を送信して発電設備１２を停止させるようにしてもよい。
【００６８】
或いは、送信機２２から第３送受信機２８及び第２送受信機２６にそれぞれ停止信号を送信する。そして、第３送受信機が停止信号を受信した場合に、換気扇２０を停止させると共に、予め定めた第５の信号を送信する。また、第２送受信機２４が停止信号を受信した場合に、切替開閉器１４を切替える。そして、第１送受信機２４が第５の信号を受信した場合に、発電設備１２を停止させるようにしてもよい。
【００６９】
或いは、送信機２２から第２送受信機２６に停止信号を送信する。そして、第２送受信機２６が停止信号を受信した場合に、切替開閉器１４を切替えると共に、上記の実施の形態と同様に第４の信号を送信する。そして、第１送受信機２４が上記の実施の形態と同様に第４の信号を受信した場合に発電設備１２を停止させる。また、第３送受信機２８が第４の信号を受信した場合に換気扇２０を停止させるようにしてもよい。
【００７０】
また、上記の実施の形態では、送信機２２及び第１〜第３送受信機２４〜２８を全て無線で行う例を説明したが、これに限るものではない。例えば、全て有線で行うようにしてもよいし、有線と無線を組み合わせて行うようにしてもよい。
【符号の説明】
【００７１】
１０    非常時給電システム
１２    発電設備
１４    切替開閉器
１８    系統電源
２０    換気扇
２２    送信機
２４    第１送受信機
２５    蓄電用キャパシタ
２６    第２送受信機
２８    第３送受信機
【図１】
2015226390.tif 000003
【図２】
2015226390.tif 000004
【図３】
2015226390.tif 000005
【図４】
2015226390.tif 000006
【図５】
2015226390.tif 000007
【図６】
2015226390.tif 000008